(57)【要約】【課題】▲１▼層分けして配線した渡し線が崩れないように、▲２▼配線された絶縁心線が損傷しないように、▲３▼層分けした渡し線の配線を容易に、▲４▼保守・点検の際、対象心線の探索を容易にすること。【解決手段】ＭＤＦ１０ａ  ，１０ｂ  間を繋ぐ渡し線支持フレーム２０において、上記ＭＤＦ１０と渡し線支持フレーム２０とを繋いだコーナーにプレート２４’を敷設し、該プレート２４’の内側コーナー２５と外側コーナー２６とを結ぶ線上に、渡し線２８を案内する複数の案内棒２７ｘ  ，２７ｙ  ，２７ｚ  を植設し、上記案内棒２７は、少なくとも外側コーナー２６に向く面を円弧面とし、上端に鍔を設け、上記案内棒２７ｘ  ，２７ｙ  ，２７ｚ  の高さを、順次高くし、上記渡し線支持フレーム２０の各ブラケット２２の上面に、間隔２３を開けてダクト２４を敷設してなる。【選択図】  図１
2004173362.tif 000002
【特許請求の範囲】
【請求項１】
列設した、電話交換機に対するリード線の、主配線フレームの間を繋ぐ渡し線支持フレームにおいて、上記主配線フレームと渡し線支持フレームとを繋いだコーナーにプレートを敷設し、該プレートの内側コーナーから外側コーナーに向けて、渡し線を案内する複数の案内棒を植設したことを特徴とする渡し線支持フレーム。
【請求項２】
上記案内棒の高さを、内側コーナーから外側コーナーに向けて順次高くしたことを特徴とする請求項１に記載の渡し線支持フレーム。
【請求項３】
上記案内棒は、少なくとも外側コーナーを向く面を円弧面とし、上端に渡し線の飛び越えを防止する鍔を設けたことを特徴とする請求項１または２に記載の渡し線支持フレーム。
【請求項４】
上記渡し線支持フレームの各ブラケットの上面に、間隔を開けてダクトを配設したことを特徴とする請求項１乃至３のいずれかに記載の渡し線支持フレーム。
【請求項５】
上記内側コーナーの案内棒寄りに、少なくとも１個の補助案内棒を付設したことを特徴とする請求項１乃至４のいずれかに記載の渡し線支持フレーム。
【発明の詳細な説明】
【０００１】
【発明の属する技術分野】
この発明は、局内において列設した、電話交換機に対するリード線の、主配線フレーム（Ｍａｉｎ  Ｄｉｓｔｒｉｂｕｔｉｎｇ  Ｆｒａｍｅ  ＝以下、単にＭＤＦという）間に配線される渡し線を支持する渡し線支持フレームに関する。
【０００２】
【従来の技術】
電話交換機に対するリード線の、ＭＤＦには夥しい数の絶縁心線が配線され、一個のＭＤＦには、高さ方向に十数段のラックがあり、各ラックには数万本の絶縁心線が配線されている。
【０００３】
こうした状態にあって、ＭＤＦが列設されている場合、または増設される場合、ＭＤＦ間に夥しい数の渡し線が配線されるが、その状況を図７乃至図９に示す。
【０００４】
図７は、列設されたＭＤＦ７０間、または既設・増設ＭＤＦ間を繋ぐ渡し線支持フレーム８０の平面図、図８は、図７のＢ−Ｂ断面図、図９は、既設ＭＤＦ７０に渡し線支持フレーム８０に亘って夥しい数の渡し線８８を配線した状態（図７のＡ−Ａ断面図）である。
【０００５】
図７乃至図９で分かるように、ＭＤＦ７０と渡し線支持フレーム８０とが繋がったコーナー部分８５には、配線された渡し線８８が手前に崩れて来ないように、ポール８７が高さ方向に突き抜けて設けられ、また、渡し線支持フレーム８０の前面中央にも二本の支柱８３が最下段から上段まで通して設けられている。
【０００６】
【発明が解決しようとする課題】
従って、渡し線は、一方のＭＤＦからポールを経て渡し線支持フレームへ、渡し線支持フレームからポールを経て他方のＭＤＦに配線され、その本数が上記のように夥しい数になるため、配線時の張力により図８、図９に示すように、ポールと支柱に押しつけられることとなり、先に配線した渡し線に、後から配線した渡し線が食い込み入り乱れた状態になる。
【０００７】
また、上記ポールと支柱は、渡し線の配線作業時に邪魔になり作業をし難くしている。
【０００８】
本来、渡し線を配線するときは、電話交換機の設置順、着信側心線、送信側心線、市外局、市内局などのように層分けし、保守・点検に際し、対象絶縁心線を探索し易いようにしているが、配線している渡し線が上記のような状態になると、該絶縁心線（渡し線）が交錯して対象絶縁心線の探索が極めて困難になってしまう。
【０００９】
また、上記のような渡し線の配線の仕方では、絶縁心線に圧力が加わり、擦れたりして絶縁が損傷し混信・漏話の原因ともなる。
【００１０】
上記従来技術の問題に鑑みこの発明は、列設された、電話交換機に対するリード線の、ＭＤＦ間を繋ぐ渡し線支持フレームであって、▲１▼渡し線の配線を、層分けして配線し易くし、▲２▼層分けして配線した渡し線が、その層分けした状態が崩れないようにし、▲３▼配線された渡し線が、ＭＤＦと渡し線支持フレームとが繋がれたコーナー部分で絶縁被覆が損傷しないようにし、▲４▼保守・点検の際、対象渡し線の探索を容易にした渡し線支持フレームを提供することを課題とする。
【００１１】
【課題を解決するための手段】
上記課題を解決するためにこの発明は、列設した、電話交換機に対するリード線の、ＭＤＦ間を繋ぐ渡し線支持フレームにおいて、上記ＭＤＦと渡し線支持フレームとを繋いだコーナーにプレートを敷設し、該プレートの内側コーナーから外側コーナーに向けて、渡し線を案内する複数の案内棒を植設し（請求項１）、上記案内棒は、少なくとも外側コーナーを向く面を円弧面とし、上端に渡し線の飛び越えを防止する鍔を設け（請求項３）、上記案内棒の高さを、内側コーナーから外側コーナーに向けて順次高くし（請求項２）、上記渡し線支持フレームの各ブラケットの上面に、間隔を開けてダクトを配し（請求項４）、内側コーナーの案内棒寄りに少なくとも１個の補助案内棒を付設し（請求項５）た構成としたものである。
【００１２】
上記の如く、ＭＤＦと渡し線支持フレームとの繋ぎ部に案内棒を設けることによって、渡し線は層分けされてダクト上に平に配線されるので、配線が崩れたり食い込んだりすることがなく、支持フレームに、コーナーのポールと中央の柱がなくなって配線作業が容易になる。
【００１３】
また、案内棒の外側コーナーを向く面を円弧面にすることにより、配線スペースを狭めることなく円弧を大きくすることができて絶縁被覆の損傷を抑止し、案内棒の上端に鍔を設けることにより層分けして配線した渡し線の飛び越えを防止し、各ブラケットの上面に間隔を開けてダクトを配設したので保守・点検および接続替えのための対象絶縁心線の探索が容易になる。
【００１４】
【発明の実施の形態】
次に、この発明の実施形態を図面を参照しながら説明する。ＭＤＦ１０は、通常支柱１１に片持ち状態でブラケット１２を介して十数段のラックが設けられ、列設されたＭＤＦ間に、あるいは既設・増設のＭＤＦ１０間には図１乃至図３に示すように渡し線支持フレーム２０が、上から見た状態でコ字形に繋がれており、渡し線支持フレーム２０にもＭＤＦ１０に対応して支柱２１に横桟Ｈ（図４参照）を介してブラケット２２が片持ち状態で取り付けられている。
【００１５】
渡し線支持フレーム２０の各ブラケット２２の上面には、間隔２３を開けて浅い深さのダクト２４が敷設・固定されており、ＭＤＦ１０と渡し線支持フレーム２０とが繋がれたコーナーには折り曲げ縁Ｅを形成したプレート２４’が敷設され、該プレート２４’の内側コーナー２５から外側コーナー２６に向けて間隔を開けて案内棒２７が植設されている。なお、上記折り曲げ縁Ｅはブラケット１２，２２に引っ掛かっている。
【００１６】
上記案内棒２７は、図５に示すように断面が半円筒形の套管２７ａ  の上端に配線された渡し線２８が飛び越えないように鍔２７ｂ  が設けられ、外側コーナー２６を向いている面は円弧面２７ｃ  になっている。また、渡し線支持フレーム２０の内側案内棒２７ｘ  寄りにはもう一つの案内棒（補助案内棒２７’）が付設されている。
【００１７】
上記案内棒２７の高さは、内側コーナー２５から外側コーナー２６に向けて順に高くし、案内棒２７は断面半円筒形にして渡し線２８の収容スペースを狭めることなく円弧面の半径を大きくして渡し線２８の被覆を傷まないよう配慮している。
【００１８】
上記案内棒２７は、図１、図４、図５に示すようにＭＤＦ１０の端から渡し線支持フレーム２０の端に亘って敷設・固定されたプーレート２４’の内側コーナーから外側コーナーに向けてナット２７ｄ  が溶接され、それにネジ棒２７ｅ  が螺合され、半円筒形の套管２７ａ  が被せられ、套管２７ａ  上に透孔２７ｆ  を設け半円形の鍔２７ｂ  が載せられ、鍔２７ｂ  から突き出たネジ棒２７ｅ  に袋ナット２７ｇ  が螺合されて取り付けられている。なお、素材はステンレス鋼のように表面滑らかで、耐磨耗性のあるものが採用される。
【００１９】
次に、この発明に係る渡し線支持フレーム２０を用いた渡し線２８の配線について説明する。
【００２０】
電話交換機Ｃに接続され、一方のＭＤＦ１０ａ  から延びる渡し線２８は、例えば、渡し線支持フレーム２０に近い部分から三つに層分けして、渡し線群２８ａ  ，２８ｂ  ，２８ｃ  とし、その渡し線群２８ａ  は案内棒２７ｘ  を、渡し線群２８ｂ  は案内棒２７ｙ  を、渡し線群２８ｃ  は案内棒２７ｚ  を経て渡し線支持フレーム２０のダクト２４上に配線し、そして渡し線支持フレーム２０のダクト２４上から他方のＭＤＦ１０ｂ  に配線する。
【００２１】
渡し線群２８ａ  ，２８ｂ  ，２８ｃ  を配線するときは、内側から外側への順序で行う。このとき案内棒２７の高さを内側コーナーから外側コーナーに向けて順次高くしているので配線作業が容易である。
【００２２】
渡し線群２８ａ  ，２８ｂ  ，２８ｃ  の配線が終わった状態を図２と図４に示す。この図で明らかなように層分けされた渡し線群２８ａ  ，２８ｂ  ，２８ｃ  は、案内棒２７ｘ  ，２７ｙ  ，２７ｚ  に分かれて渡し線支持フレーム２０のダクト２４に平になるように配線され、該ダクト２４は、途中で３箇所で間隔２３を設けているので、保守・点検のため対象渡し線（絶縁心線）を探索するとき、渡し線群２８ａ  ，２８ｂ  ，２８ｃ  の上下から手を差し入れることができるので探索作業が容易になる。
【００２３】
【発明の効果】
以上説明した如くこの発明によれば、層分けした渡し線群を、複数の案内棒を経てダクト内に平になるように配線されるので、先に配線された渡し線に、後から配線された渡し線が食い込むこともなく層が崩れることもなく、ポールと柱が無くなり配線作業が極めて容易になった。
【００２４】
上記案内棒を外側コーナーに向かうに従い順に高くしているので渡し線群の配線が容易になり、案内棒を半円筒状にし円弧面を外向きにすることにより、配線のスペースを狭めることなく円弧面の半径を大きくすることができて絶縁被覆の損傷を抑止することができ、案内棒の上端に半円形の鍔を設けることにより層分けして配線した渡し線の飛び越えを防止し、ダクトの間隔を開けているので保守・点検の際、対象心線の探索が容易になる。
【図面の簡単な説明】
【図１】この発明の実施形態の平面図
【図２】図１のＡ−Ａ断面図
【図３】同Ｂ−Ｂ断面図
【図４】図３の要部拡大図
【図５】この発明の実施形態で使用される案内棒の（ａ）縦断面図、（ｂ）一部切り欠き平面図
【図６】図１のコーナー部拡大図
【図７】従来技術の平面図
【図８】図７のＢ−Ｂ断面図
【図９】図７のＡ−Ａ断面図
【符号の説明】
１０，７０  主配線フレーム（ＭＤＦ）
１０ａ    一方（既設の）のＭＤＦ
１０ｂ    他方（増設の）のＭＤＦ
１１，７１  支柱（ＭＤＦの）
１２，７２  ブラケット（ＭＤＦの）
２０，８０  渡し線支持フレーム
２１，８１  支柱（渡し線支持フレーム）
２２，８２  ブラケット（渡し線支持フレームの）
２３  間隔
２４  ダクト
２４’  プレート（繋ぎ部分の）
２５  内側コーナー
２６  外側コーナー
２７  案内棒
２７ｘ    案内棒（内側の）
２７ｙ    案内棒（中間の）
２７ｚ    案内棒（外側の）
２７ａ    套管
２７ｂ    鍔
２７ｃ    円弧面
２７ｄ    ナット
２７ｅ    ネジ棒
２７ｆ    透孔
２７ｇ    袋ナット
２７’  補助案内棒
２８，８８  渡し線
８３  支柱（前面の）
８７  ポール
Ｃ  電話交換機
Ｅ  折り曲げ縁
【図１】
2004173362.tif 000003
【図２】
2004173362.tif 000004
【図３】
2004173362.tif 000005
【図４】
2004173362.tif 000006
【図５】
2004173362.tif 000007
【図６】
2004173362.tif 000008
【図７】
2004173362.tif 000009
【図８】
2004173362.tif 000010
【図９】
2004173362.tif 000011